(57)【要約】【課題】スペクトラム拡散クロックの周波数の変動の影響を受けずに原稿を読み取ること。【解決手段】複合機は、スペクトラム拡散クロック（以下、ＳＳＣ）を用いて第１光源及び第２光源を発光させ、第１光源及び第２光源が出社した光を原稿に向けて照射し、原稿を読み取る読取部を有する。読取部では、ＳＳＣを用いて第１光源及び第２光源を発光させる際に、第１光源をＳＳＣに応じて発光させ、第２光源をＳＳＣの変動周期を半周期ずらした変更スペクトラム拡散クロック（以下、変更ＳＳＣ）に応じて発光させる。そのため、ＳＳＣの周波数の変動による点灯期間や照射強度への影響を、変更ＳＳＣの周波数の変動によって打ち消すことができ、読取部で読み取られる読取画像の画質を向上させることができる。【選択図】図４
2014049938.tif 000002
【特許請求の範囲】
【請求項１】
複数の光源を有し、各光源が出射した光を原稿に向けて照射する照射部と、前記照射部が照射した光の反射光を受光する受光部と、を有する画像読取部と、
所定の周波数領域を一定の周期で周波数が変化するスペクトラム拡散クロックを生成する生成部と、
前記スペクトラム拡散クロックに応じて前記各光源を発光させる制御部と、
を備え、
前記制御部は、
前記複数の光源のうちの第１の光源を、前記スペクトラム拡散クロックに応じて発光させ、
前記複数の光源のうちの第２の光源を、前記スペクトラム拡散クロックの変動周期を半周期ずらした変更スペクトラム拡散クロックに応じて発光させる、画像読取装置。
【請求項２】
請求項１に記載の画像読取装置であって、
前記制御部は、
前記スペクトラム拡散クロック及び前記変更スペクトラム拡散クロックのクロック数を計数するカウンタ部を有し、
前記カウンタ部が前記スペクトラム拡散クロックを規定数計数する第１発光期間に亘って前記第１の光源を発光させ、
前記カウンタ部が前記変更スペクトラム拡散クロックを前記規定数計数する第２発光期間に亘って前記第２の光源を発光させる、画像読取装置。
【請求項３】
請求項１または請求項２に記載の画像読取装置であって、
前記照射部は、２つの前記光源と、前記各光源が出射した光を前記原稿へと導く導光体を有し、
前記第１の光源は、前記導光体の一方側から前記導光体に光を入射し、
前記第２の光源は、前記一方側と逆側の他方側から前記導光体に光を入射する、画像読取装置。
【請求項４】
請求項３に記載の画像読取装置であって、
前記照射部は、１つの柱状の前記導光体を有し、
前記第１の光源は、前記導光体の一方の端面から前記導光体に光を入射し、
前記第２の光源は、前記一方の端面と対向する他方の端面から前記導光体に光を入射する、画像読取装置。
【請求項５】
請求項１ないし請求項４のいずれか一項に記載の画像読取装置であって、
前記生成部は、
前記スペクトラム拡散クロックから前記変更スペクトラム拡散クロックを生成する位相回路を有する、画像読取装置。
【請求項６】
請求項１ないし請求項５のいずれか一項に記載の画像読取装置であって、
前記画像読取部は、前記原稿を通常の速度で読み取る通常読取モードと、前記通常読取モードよりも高速で読み取る高速読取モードを有し、
前記制御部は、前記高速読取モードにおいて前記複数の光源を発光させる、画像読取装置。
【発明の詳細な説明】
【技術分野】
【０００１】
本明細書に開示される発明は、スペクトラム拡散クロックを用いて原稿の画像を読み取る画像読取装置に関する。
【背景技術】
【０００２】
従来、ＥＭＩ（電磁波干渉）対策の一環として、所定の周波数領域を一定の周期で周波数が変化するスペクトラム拡散クロックを用いる画像読取装置が知られている（例えば、特許文献１、２）。これらの画像読取装置では、スペクトラム拡散クロックの所定のクロック数に基づいて、画像読取装置における光源の発光期間等を設定するので、当該スペクトラム拡散クロックの周波数の変動によって光源の発光期間が変動してしまうことがある。そこで、従来から、光源の発光期間を、スペクトラム拡散クロックの変調周期の整数倍に設定することで、スペクトラム拡散クロックの周波数の変動によらず、光源の発光期間等を一定の期間に設定する技術が用いられている（例えば、特許文献１）。
【先行技術文献】
【特許文献】
【０００３】
【特許文献１】特開２００６−３３２９２４号公報
【特許文献２】特開２０１２−９９９５７号公報
【発明の概要】
【発明が解決しようとする課題】
【０００４】
ところが、光源の発光期間をスペクトラム拡散クロックの変調周期の整数倍に設定すると、光源の発光期間を所望の期間に自由に設定することができない。そのため、光源の発光期間をスペクトラム拡散クロックの変調周期の整数倍に設定するのに代えて、スペクトラム拡散クロックの変調周期を検出し、検出した変調周期に基づいて光源の発光期間を補正することで光源の発光期間を所望の期間に設定する技術が知られている（例えば、特許文献２）。当該技術は、光源の発光期間を自由に設定することができる点で大変有用な技術であるが、スペクトラム拡散クロックの変調周期の検出や光源の発光期間の補正など、各種処理を実行する必要がある。そのため、もっと容易に光源の発光期間等を所望の期間に自由に設定する技術が望まれている。
【０００５】
本明細書では、スペクトラム拡散クロックの周波数の変動の影響を受けずに原稿を読み取る技術を開示する。
【課題を解決するための手段】
【０００６】
本明細書によって開示される画像読取装置は、複数の光源を有し、各光源が出射した光を原稿に向けて照射する照射部と、前記照射部が照射した光の反射光を受光する受光部と、を有する画像読取部と、所定の周波数領域を一定の周期で周波数が変化するスペクトラム拡散クロックを生成する生成部と、前記スペクトラム拡散クロックに応じて前記各光源を発光させる制御部と、を備え、前記制御部は、前記複数の光源のうちの第１の光源を、前記スペクトラム拡散クロックに応じて発光させ、前記複数の光源のうちの第２の光源を、前記スペクトラム拡散クロックの変動周期を半周期ずらした変更スペクトラム拡散クロックに応じて発光させる。
【０００７】
この画像読取装置では、照射部に含まれる複数の光源のうち、第１の光源はスペクトラム拡散クロックに応じて発光させ、第２の光源は変更スペクトラム拡散クロックに応じて発光させる。スペクトラム拡散クロックと変更スペクトラム拡散クロックは、変動周期が半周期ずれていることから、スペクトラム拡散クロックの周波数の変動の影響を変更スペクトラム拡散クロックの周波数の変動によって打ち消すことができる。この画像読取装置によれば、第１の光源と第２の光源が同一のスペクトラム拡散クロックに応じて発光させた場合に比べて、スペクトラム拡散クロックの周波数の変動による光源の発光期間の変動を抑制することができ、画像読取部で読み取られる原稿画像の画質を向上させることができる。
【０００８】
また、上記の画像読取装置では、前記制御部は、前記スペクトラム拡散クロック及び前記変更スペクトラム拡散クロックのクロック数を計数するカウンタ部を有し、前記カウンタ部が前記スペクトラム拡散クロックを規定数計数する第１発光期間に亘って前記第１の光源を発光させ、前記カウンタ部が前記変更スペクトラム拡散クロックを前記規定数計数する第２発光期間に亘って前記第２の光源を発光させる構成としても良い。
【０００９】
この画像読取装置では、スペクトラム拡散クロックのクロック数が規定数計数される第１発光期間に亘って第１の光源を発光させ、変更スペクトラム拡散クロックのクロック数が規定数計数される第２発光期間に亘って第１の光源を発光させる。スペクトラム拡散クロックと変更スペクトラム拡散クロックは、変動周期が半周期ずれていることから、第１発光期間と第２発光期間を合計した合計発光期間は、スペクトラム拡散クロックの周波数の変動によらず一定となる。そのため、スペクトラム拡散クロックの周波数の変動による光源の発光期間の変動を抑制することができ、画像読取部で読み取られる原稿画像の画質を向上させることができる。
【００１０】
また、上記の画像読取装置では、前記照射部は、２つの前記光源と、前記各光源が出射した光を前記原稿へと導く導光体を有し、前記第１の光源は、前記導光体の一方側から前記導光体に光を入射し、前記第２の光源は、前記一方側と逆側の他方側から前記導光体に光を入射する構成としても良い。
【００１１】
光源から導光体に光を入射する場合、光が入射される入射面側の導光体から原稿に照射される光量が多くなりやすく、入射面と逆側の導光体から原稿に照射される光量が少なくなりやすい。この画像読取装置によれば、照射部に含まれる２つの光源がお互いに異なる側から導光体に光を入射するので、入射面との位置関係により導光体から原稿に照射される光量にムラが発生するのを抑制することができ、画像読取部で読み取られる原稿画像の画質を向上させることができる。
【００１２】
また、上記の画像読取装置では、前記照射部は、１つの柱状の前記導光体を有し、前記第１の光源は、前記導光体の一方の端面から前記導光体に光を入射し、前記第２の光源は、前記一方の端面と対向する他方の端面から前記導光体に光を入射する構成としても良い。
【００１３】
この画像読取装置によれば、柱状をなす導光体の両端面から光を入射することで、導光体から原稿に照射される光量のムラを抑制することができる。
【００１４】
また、上記の画像読取装置では、前記生成部は、前記スペクトラム拡散クロックから前記変更スペクトラム拡散クロックを生成する位相回路を有する構成としても良い。
【００１５】
この画像読取装置によれば、スペクトラム拡散クロックから変更スペクトラム拡散クロックを生成するので、変更スペクトラム拡散クロックを生成しやすい。
【００１６】
また、上記の画像読取装置では、前記画像読取部は、前記原稿を通常の速度で読み取る通常読取モードと、前記通常読取モードよりも高速で読み取る高速読取モードを有し、前記制御部は、前記高速読取モードにおいて前記複数の光源を発光させる構成としても良い。
【００１７】
この画像読取装置では、通常読取モードよりも高速で原稿を読み取る高速読取モードを有する。高速読取モードでは、通常読取モードに比べて多くの光量が必要であり、複数の光源を用いる必要がある。この画像読取装置によれば、複数の光源を用いる必要がある高速読取モードにおいて、スペクトラム拡散クロック及び変更スペクトラム拡散クロックを用いてこれらの光源を発光させるので、スペクトラム拡散クロックの周波数の変動による光源の発光期間の変動を抑制することができ、画像読取部で読み取られる原稿画像の画質を向上させることができる。
【発明の効果】
【００１８】
本明細書によって開示される画像読取装置では、スペクトラム拡散クロックの周波数の変動の影響を受けずに原稿を読み取ることができる。
【図面の簡単な説明】
【００１９】
【図１】複合機の概略的な断面図
【図２】実施形態１の読取部の概略的な斜視図
【図３】複合機の電気的構成を概略的に示すブロック図
【図４】ＳＳＣ及び変更ＳＳＣの周波数の相関関係を示すタイムチャート
【図５】光源の点灯期間を示すタイムチャート
【図６】主走査方向における照射強度分布を示すグラフ
【図７】主走査方向における照射強度分布を示すグラフ
【図８】実施形態２の読取部の概略的な斜視図
【発明を実施するための形態】
【００２０】
＜実施形態１＞
実施形態１を、図１ないし図７を用いて説明する。
【００２１】
１．複合機の外観構成
図１は、本実施形態の画像読取装置の一例である複合機１の断面図である。この複合機１は、プリンタ機能、スキャナ機能、コピー機能、ファクシミリ機能などを備えた多機能周辺装置である。
【００２２】
図１に示すように、複合機１は、本体部２の上方に原稿を読み取るための読取機構３を備えている。読取機構３は、読取部３０、原稿自動送り装置（以下、ＡＤＦ）４０等を含む。読取部３０は、画像読取部の一例である。
【００２３】
ＡＤＦ４０は、原稿カバー４８内に設けられており、ＡＤＦカバー４１、原稿トレイ４２、押圧部材４４、各種ローラ４６、排紙トレイ４７、フロントセンサ（以下、Ｆセンサ）２２、リアセンサ（以下、Ｒセンサ）２８等を含む。
【００２４】
ＡＤＦ４０には、原稿を原稿トレイ４２から排紙トレイ４７に搬送する搬送経路４５が設けられている。以後、搬送経路４５に沿った方向を搬送方向と呼び、これに直交する方向を直交方向と呼ぶ。図１に、搬送方向を矢印８１で示す。
【００２５】
ローラ４６は、原稿トレイ４２に載置された原稿を搬送経路４５上に搬送し、排紙トレイ４７に排紙する。つまり、ローラ４６及びローラ４６を回転駆動させるモータ（図示されていない）によって、原稿トレイ４２に載置された原稿は、排紙トレイ４７へと搬送される。
【００２６】
また、原稿トレイ４２に、Ｆセンサ２２が配置されている。Ｆセンサ２２は、原稿トレイ４２に原稿が載置されたか否かを検出する。また、搬送経路４５上には、Ｒセンサ２８が配置されている。Ｒセンサ２８は、搬送経路４５上の当該センサが配置された位置に原稿が存在するか否かを検出する。
【００２７】
また、搬送経路４５上のＲセンサ２８の下流側に、読取部３０が配置されている。読取部３０は、本体部２内に配置されており、搬送方向と直交する直交方向広がって形成されている。直交方向は、読取部３０の主走査方向に等しい。
【００２８】
読取部３０は、図１に点線で示すように、矢印８２で示す移動方向に移動しながら第１プラテンガラス５２上に静止して載置された原稿の画像を主走査方向に読み取る。また、図１に実線で示すように、第２プラテンガラス５３下の搬送経路４５上の固定位置である読取位置Ｌに移動し、ローラ４６等によって搬送される原稿の画像を主走査方向に読み取る。この際、読取部３０は、ローラ４６等によって搬送される原稿が第２プラテンガラス５３上を通過する際の当該原稿の画像を読み取る。搬送方向は、読取部３０の副走査方向に等しい。
【００２９】
第２プラテンガラス５３に対向して、押圧部材４４が配置されている。押圧部材４４は、第２プラテンガラス５３上を通過する原稿が第２プラテンガラス５３から浮かないように、原稿を第２プラテンガラス５３に押圧する。なお、以下の説明において、特に記載がない場合には、図１に実線で示すように、読取位置Ｌに静止して搬送経路４５上を搬送される原稿の画像を読み取る読取部３０の状態及び動作を説明しているものとする。
【００３０】
次に、読取部３０の構造について説明する。読取部３０は、ＣＩＳ（Ｃｏｎｔａｃｔ  Ｉｍａｇｅ  Ｓｅｎｓｏｒ）を用いた、いわゆるＣＩＳ方式で第２プラテンガラス５３上を通過する原稿を読み取る。図２に示すように、読取部３０は、複数の受光素子３８が主走査方向に直線状に配列されているリニアイメージセンサ３３、発光ダイオードで構成される２つの光源３１Ａ、３１Ｂ、光源３１Ａ、３１Ｂから照射される光を第２プラテンガラス５３上に配置された原稿へと導く１組の導光体３６と反射板３７、原稿で反射された反射光をリニアイメージセンサ３３の各受光素子３８に結像させるロッドレンズアレイ３２を含み、これらがキャリッジ３４（図１参照）に搭載されて構成されている。
【００３１】
導光体３６は、円柱状をしており、その軸方向が主走査方向に伸びるとともに、搬送方向においてロッドレンズアレイ３２の上流側に配置されている。第１光源３１Ａは、導光体３６の一方の端面３６Ａの近傍に配置され、端面３６Ａから導光体３６に光を入射する。また、第２光源３１Ｂは、導光体３６において端面３６Ａに対向する他方の端面３６Ｂの近傍に配置され、端面３６Ｂから導光体３６に光を入射する。つまり、光源３１Ａ、３１Ｂは、導光体３６に対してお互いに逆側から光を入射する。導光体３６の端面３６Ａ側は、導光体の一方側の一例であり、導光体３６の端面３６Ｂ側は、導光体の他方側の一例である。
【００３２】
反射板３７は、導光体３６の所定の径方向の側面に、導光体３６の軸方向の全域に亘って貼り付けられている。反射板３７は、光源３１Ａ、３１Ｂから入射され、導光体３６が主走査方向に導く光を、導光体３６において反射板３７が貼り付けられた径方向と反対の径方向へと反射する。反射板３７により反射された光は、当該方向に存在する原稿へと照射される。つまり、光源３１Ａ、３１Ｂと導光体３６と反射板３７によって、照射部３９が形成される。
【００３３】
読取部３０は、原稿の画像を読み取る際に、読取位置Ｌにおいて照射部３９から第２プラテンガラス５３の下面に光を照射する。リニアイメージセンサ３３は、照射部３９によって照射され、原稿で反射された反射光をロッドレンズアレイ３２を介して受光する。これによって、読取位置Ｌに位置する読取部３０に対して移動する原稿の画像が読取部３０によって読み取られる。読取部３０によって読み取られた画像は、後述するＲＡＭ２３に記憶される。
【００３４】
複合機１には、更に、電源ボタンなどの各種のボタンからなり、使用者からの操作入力を受け付ける指示部１１（図３参照）、複合機１の状態や読取部３０が読み取った個別画像等を表示するとともに、使用者からの操作入力を受け付けるタッチパネルからなる表示部１２（図３参照）が設けられている。
【００３５】
２．複合機の電気的構成
図３に示すように、複合機１は、中央処理装置（以下、ＣＰＵ）２０、ＲＯＭ２６、ＲＡＭ２７、第１デバイス制御部１３、第２デバイス制御部１４、スペクトラム拡散クロック生成部（以下、ＳＳＣＧ）１５、基準クロック生成部１６、アナログフロントエンド（以下、ＡＦＥ）１７、ＬＥＤドライバ１８、１９を備え、これらにバス２９を介して、指示部１１、表示部１２、などが接続されている。ＳＳＣＧ１５は、生成部の一例である。また、図３に点線２１で示すように、ＣＰＵ２０と、ＲＯＭ２６と、ＲＡＭ２７を含めたものは、制御部の一例である。
【００３６】
ＲＯＭ２６には、複合機１の動作を制御するための各種のプログラムが記憶されており、ＣＰＵ２０は、ＲＯＭ２６から読み出したプログラムに従って各部の制御を行う。基準クロック生成部１６は、ＣＰＵ２０からの命令に従って基準クロックを生成し、生成した基準クロックをＳＳＣＧ１５に送信する。
【００３７】
ＳＳＣＧ１５は、基準クロック生成部１６に接続されており、基準クロック生成部１６から送信される基準クロックにスペクトラム拡散をかけたスペクトラム拡散クロック（以下、ＳＳＣ）を生成する。具体的には、ＳＳＣＧ１５は、図４に示すように、９０ＭＨｚ〜１１０ＭＨｚの周波数領域ＦＨを一定の変動周期ＴＨで変動するＳＳＣを生成し、生成したＳＳＣを第１デバイス制御部１３に送信する。
【００３８】
また、ＳＳＣＧ１５は、位相回路２５を有しており、ＳＳＣからＳＳＣの変動周期ＴＨを半周期ずらした変更スペクトラム拡散クロック（以下、変更ＳＳＣ）を生成する。図４に示すように、変更ＳＳＣは、ＳＳＣと同一の周波数領域ＦＨ及び変動周期ＴＨにおいて変動する。その一方、ＳＳＣと変更ＳＳＣは位相が異なり、ＳＳＣが基準周波数（１００ＭＨｚ）から１０％上昇した最大周波数（１１０ＭＨｚ）を出力するＡ状態において、変更ＳＳＣが基準周波数（１００ＭＨｚ）から１０％低下した最小周波数（９０ＭＨｚ）を出力するＢ状態となる（タイミングＴ１）。同様に、ＳＳＣが基準周波数を出力するＣ状態において、変更ＳＳＣはＣ状態となり（タイミングＴ２）、ＳＳＣがＢ状態において、変更ＳＳＣがＡ状態となる（タイミングＴ３）。ＳＳＣＧ１５は、生成した変更ＳＳＣを第２デバイス制御部１４に送信する。
【００３９】
第１デバイス制御部１３は、ＳＳＣＧ１５に接続されており、ＣＰＵ２０からの命令に基づいて、第１光源３１Ａの点灯を制御する信号をＬＥＤドライバ１８に送信する。具体的には、第１デバイス制御部１３は、図５に示すように、ＳＳＣＧ１５から送信されるＳＳＣに基づいて、第１光源３１Ａの点灯開始を伝達するトリガー信号ＴＧを送信するとともに、点灯信号ＴＳを送信する。ＬＥＤドライバ１８は、第１デバイス制御部１３から点灯信号ＴＳが送信されると、第１光源３１Ａを発光させる。
【００４０】
また、第１デバイス制御部１３は、カウンタ部２３を有しており、トリガー信号ＴＧを送信してから第１デバイス制御部１３に送信されたＳＳＣのクロック数をカウントする。第１デバイス制御部１３は、トリガー信号ＴＧを送信してから規定数ＮのＳＳＣのクロック数がカウントされると、点灯信号ＴＳの送信を停止する。ＬＥＤドライバ１８は、第１デバイス制御部１３から点灯信号ＴＳの送信が停止されると、第１光源３１Ａの発光を中止させる。つまり、第１光源３１Ａの点灯期間ＴＷ１は、点灯信号ＴＳの送信期間、すなわち、第１デバイス制御部１３がトリガー信号ＴＧを送信してから規定数ＮのＳＳＣのクロック数をカウントする期間に設定される。点灯期間ＴＷ１は、第１発光期間の一例である。
【００４１】
同様に、第２デバイス制御部１４は、ＳＳＣＧ１５に接続されており、ＣＰＵ２０からの命令に基づいて、第２光源３１Ｂの点灯を制御する信号をＬＥＤドライバ１８に送信する。第２デバイス制御部１４は、ＳＳＣＧ１５から送信される変更ＳＳＣに基づいて、トリガー信号ＴＧ及び点灯信号ＴＳを送信し、ＬＥＤドライバ１９は、第２デバイス制御部１４から点灯信号ＴＳが送信されると、第２光源３１Ｂを発光させる。
【００４２】
また、第２デバイス制御部１４は、カウンタ部２４を有しており、トリガー信号ＴＧを送信してから第２デバイス制御部１４に送信された変更ＳＳＣのクロック数をカウントする。第２デバイス制御部１４は、トリガー信号ＴＧを送信してから規定数Ｎの変更ＳＳＣのクロック数がカウントされると、点灯信号ＴＳの送信を停止する。ＬＥＤドライバ１８は、第２デバイス制御部１４から点灯信号ＴＳの送信が停止されると、第２光源３１Ｂの発光を中止させる。つまり、第２光源３１Ｂの点灯期間ＴＷ２は、点灯信号ＴＳの送信期間、すなわち、第２デバイス制御部１４がトリガー信号ＴＧを送信してから規定数Ｎの変更ＳＳＣのクロック数をカウントする期間に設定される。点灯期間ＴＷ２は、第２発光期間の一例である。
【００４３】
第１デバイス制御部１３及び第２デバイス制御部１４は、トリガー信号ＴＧを送信してから規定数Ｎよりも大きいライン周期を示す規定数ＭのＳＳＣのクロック数がカウントされると、再びトリガー信号ＴＧを送信する。そして、カウンタ部２４のクロック数のカウントはリセットされ、上記の点灯処理を繰り返す。リニアイメージセンサ３３は、点灯処理毎に、搬送経路４５に沿って搬送される原稿の読み取りを繰り返し、読み取った読取画像をＡＦＥ１７に出力する。
【００４４】
ＡＦＥ１７は、読取部３０に接続されており、ＣＰＵ２０からの命令に基づいて、読取部３０から出力されるアナログ信号の読取画像をデジタル信号、つまり階調データの読取画像に変換する。ＡＦＥ１７は、変換した階調データの読取画像を、バス２９を介してＲＡＭ２７に記憶する。
【００４５】
ＣＰＵ２０は、読取部３０が原稿を読み取るのに必要な回数に亘って上記の点灯処理を繰り返す。そして、読取部３０が原稿を読み取るのに必要な回数に亘って上記の点灯処理を繰り返すと、第１デバイス制御部１３及び第２デバイス制御部１４に点灯処理を停止させ、原稿の読み取りを終了する。
【００４６】
請求項１・２
３．本実施形態の効果
（１）本実施形態の複合機１では、照射部３９に含まれる複数の光源３１Ａ、３１Ｂのうち、第１光源３１ＡはＳＳＣのクロック数が規定数Ｎとなる期間に基づいて点灯期間ＴＷ１が設定され、第２光源３１Ｂは変更ＳＳＣのクロック数が規定数Ｎとなる期間に基づいて点灯期間ＴＷ２が設定される。一般に、周波数が変動するＳＳＣや変更ＳＳＣを用いて点灯期間を設定する場合、一定の規定数に基づいて点灯期間を設定したとしても、点灯期間を一定に設定することはできない。
【００４７】
図４に示すように、トリガー信号がＡ状態において出力された場合、点灯期間ＴＷを設定する際にカウントされるＳＳＣには、トリガー信号がＢ状態やＣ状態において出力された場合に比べて、周波数が高く、周期が短いＳＳＣが多く含まれる。そのため、図５に示すように、トリガー信号がＡ状態において出力された場合、トリガー信号がＢ状態やＣ状態において出力された場合に比べて、点灯期間ＴＷが短くなるため、図６に示すように、照射部３９が原稿に光を照射する読取領域ＹＲにおける照射強度ＳＡが弱くなる。
【００４８】
一方、トリガー信号がＢ状態において出力された場合、点灯期間ＴＷを設定する際にカウントされるＳＳＣには、トリガー信号がＡ状態やＣ状態において出力された場合に比べて、周波数が低く、周期が長いＳＳＣが多く含まれる。そのため、トリガー信号がＢ状態において出力された場合、トリガー信号がＡ状態やＣ状態において出力された場合に比べて、点灯期間ＴＷが長くなるため、原稿への照射強度ＳＢが強くなる。このように、ＳＳＣを用いて点灯期間ＴＷを設定する場合、トリガー信号が出力されるタイミングによって、点灯期間ＴＷが変動してしまう。
【００４９】
本実施形態の複合機１では、光源３１Ａの点灯期間ＴＷ１や光源３１Ｂの点灯期間ＴＷ２が変動する場合でも、光源３１Ａの点灯期間ＴＷ１と光源３１Ｂの点灯期間ＴＷ２を併せた合計点灯期間ＴＷＧを一定にすることで、点灯期間ＴＷの変動を防止する。
【００５０】
つまり、本実施形態の複合機１では、照射部３９に含まれる複数の光源３１Ａ、３１Ｂのうち、第１光源３１ＡはＳＳＣに基づいて点灯期間ＴＷ１を設定し、第２光源３１ＢはＳＳＣに対して変動周期が半周期ずれた変更ＳＳＣに基づいて点灯期間ＴＷ２を設定する。ＳＳＣと変更ＳＳＣは、変動周期が半周期ずれていることから、光源３１Ａの点灯期間ＴＷが長く、光源３１Ａに起因した照射強度Ｓが強くなる場合に、光源３１Ｂの点灯期間ＴＷを短く、光源３１Ｂに起因した照射強度Ｓを弱くすることができ（図４のタイミングＴ１参照）、合計点灯期間ＴＷＧを一定にすることができる。同様に、光源３１Ａの点灯期間ＴＷが短く、光源３１Ａに起因した照射強度Ｓが弱くなる場合に、光源３１Ｂの点灯期間ＴＷを長く、光源３１Ｂに起因した照射強度Ｓを強くすることができ（図４のタイミングＴ３参照）、合計点灯期間ＴＷＧを一定にすることができる。
【００５１】
この結果、図６に示すように、トリガー信号がＡ状態において出力された場合の照射強度ＳＡと、トリガー信号がＢ状態において出力された場合の照射強度ＳＢとの合計照射強度ＳＧ１（図４のタイミングＴ１、Ｔ３参照）を、いずれもトリガー信号がＣ状態において出力された場合の照射強度ＳＣの合計照射強度ＳＧ２（図４のタイミングＴ２参照）と等しくすることができる。
【００５２】
本実施形態の複合機１によれば、ＳＳＣの周波数の変動による点灯期間ＴＷや照射強度Ｓへの影響を、変更ＳＳＣの周波数の変動によって打ち消すことができる。これによって、ＳＳＣの周波数の変動による点灯期間ＴＷや照射強度Ｓの変動を防止することができ、読取部３０で読み取られる読取画像の画質を向上させることができる。
【００５３】
（２）本実施形態の複合機１では、ＡＤＦ４０を用いて原稿を読み取る際に、原稿を通常の搬送速度で搬送して読み取る通常読取モードと、原稿を通常の搬送速度よりも早い搬送速度で搬送して、原稿を高速で読み取る高速読取モードを備える。高速読取モードでは、通常読取モードに比べて点灯期間ＴＷを設定するための規定数Ｎが小さく設定されており、あるいは通常読取モードに比べて基準クロック生成部１６が生成する基準クロックの周波数が早く設定されており、点灯期間ＴＷが短い。そのため、高速読取モードでは、原稿への照射強度Ｓを強めるために、第１光源３１Ａと第２光源３１Ｂを用いる必要がある。
【００５４】
本実施形態の複合機１では、第１光源３１Ａと第２光源３１Ｂを用いる必要がある高速読取モードにおいて、２つの光源３１Ａ、３１Ｂを用いることを利用してその合計点灯期間ＴＷＧを一定にすることができ、高速読取モードにおける点灯期間ＴＷの変動を防止することができる。
【００５５】
（３）本実施形態の複合機１では、光源３１Ａ、３１Ｂから導光体３６に光を入射する際に、お互いに対向する端面３６Ａ、３６Ｂから導光体３６に光を入射する。一般に、図７に示すように、光源から導光体に光を入射する場合、光が入射される側の照射強度が、光が入射される側と逆側の照射強度よりも強くなりやすい。図７の照射強度ＳＣＬは、矢印８３に示すように、紙面左側から光が入射された場合の主走査方向における照射強度分布を示しており、紙面左側の照射強度が紙面右側の照射強度よりも高くなりやすい。また、図７の照射強度ＳＣＲは、矢印８４に示すように、紙面右側から光が入射されている場合の主走査方向における照射強度分布を示しており、紙面右側の照射強度が紙面右側の照射強度よりも高くなりやすい。そのため、光源３１Ａ、３１Ｂから導光体３６に光を入射する際に、共通する端面から導光体３６に光を入射した場合、主走査方向における照射強度Ｓの変動が助長されてしまう。
【００５６】
本実施形態の複合機１では、光源３１Ａ、３１Ｂから導光体３６の互いに異なる端面３６Ａ、３６Ｂに光を入射し、光源３１Ａによる主走査方向の照射強度ＳＣＬ（ＳＣＲ）の変動を、光源３１Ｂによる主走査方向の照射強度ＳＣＲ（ＳＣＬ）の変動によって抑える。この結果、主走査方向の照射強度Ｓに変動がある場合における合計照射強度ＳＧ３と、主走査方向の照射強度Ｓに変動がない場合における合計照射強度ＳＧ２とを等しくすることができる。本実施形態の複合機１によれば、導光体３６に対する光の入射方向による照射強度Ｓの変動を抑制することができ、読取部３０で読み取られる読取画像の画質を向上させることができる。
【００５７】
＜実施形態２＞
実施形態２を、図８を用いて説明する。本実施形態の複合機１では、照射部３９に２組の導光体３６、８６と反射板３７、８７を有する点で、１組の導光体３６と反射板３７を有する実施形態１の複合機１と異なる。以下の説明では、実施形態１と同一の内容については重複した記載を省略する。
【００５８】
１．複合機の外観構成
導光体３６は、円柱状をしており、その軸方向が主走査方向に伸びるとともに、搬送方向においてロッドレンズアレイ３２の上流側に配置されている。第１光源３１Ａは、導光体３６の一方の端面３６Ａの近傍に配置され、端面３６Ａから導光体３６に光を入射する。また、導光体８６は、円柱状をしており、その軸方向が主走査方向に伸びるとともに、搬送方向においてロッドレンズアレイ３２の下流側に配置されている。第２光源３１Ｂは、導光体３６の端面３６Ａ側と逆側の導光体８６の端面８６Ｂの近傍に配置され、端面８６Ｂから導光体８６に光を入射する。つまり、光源３１Ａ、３１Ｂは、導光体３６、８６に対してお互いに逆側から光を入射する。
【００５９】
２．本実施形態の効果
本実施形態の複合機１では、光源３１Ａ、３１Ｂから導光体３６、８６に光を入射する際に、お互いに逆側の端面３６Ａ、８６Ｂから導光体３６、８６に光を入射する。本実施形態の複合機１によれば、導光体３６による主走査方向の照射強度Ｓの変動を、導光体８６による主走査方向の照射強度Ｓの変動により抑制することができ、読取部３０で読み取られる読取画像の画質を向上させることができる。
【００６０】
＜他の実施形態＞
本発明は上記記述及び図面によって説明した実施形態に限定されるものではなく、例えば次のような種々の態様も本発明の技術的範囲に含まれる。
（１）上記実施形態では、複合機１を用いて説明を行ったが、本発明はこれに限られない。例えば、プリンタ機能、スキャナ機能、コピー機能、ファクシミリ機能の少なくとも１つの機能を備えた装置であっても良い。
【００６１】
（２）上記実施形態では、複合機１が１つのＣＰＵ２０を有し、第１デバイス制御部１３や第２デバイス制御部１４などの各部の制御を当該１つのＣＰＵ２０によって実行する例を用いて示したが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【００６２】
（３）また、ＣＰＵ２０が実行するプログラムは必ずしもＲＯＭ２６に記憶されている必要はなく、ＣＰＵ２０自身に記憶されていてもよければ、他の記憶装置に記憶されていても良い。
【００６３】
（４）上記実施形態では、ＳＳＣ及び変更ＳＳＣに基づいて光源３１Ａ、３１Ｂを点灯させる一例として、ＳＳＣ及び変更ＳＳＣに基づいて光源３１Ａ、３１Ｂの点灯期間を設定する例を用いて説明を行ったが、本発明はこれに限られない。例えば、ＳＳＣ及び変更ＳＳＣに基づいて光源３１Ａ、３１Ｂの発光強度を設定してもよい。つまり、点灯期間が一定に設定されており、光源３１Ａ、３１Ｂの発光強度をトリガー信号が出力された際のＳＳＣ及び変更ＳＳＣの周波数や周期に基づいて決定してもよい。
【００６４】
ＳＳＣと変更ＳＳＣは、変動周期が半周期ずれていることから、光源３１Ａの発光強度が強く、光源３１Ａに起因した照射強度Ｓが強くなる場合に、光源３１Ｂの発光強度を弱く、光源３１Ｂに起因した照射強度Ｓを弱くすることができ、合計照射強度ＳＧを一定にすることができる。つまり、ＳＳＣの周波数の変動による発光強度の変動を、変更ＳＳＣの周波数の変動によって打ち消すことができ、読取部３０で読み取られる読取画像の画質を向上させることができる。
【００６５】
（５）上記実施形態では、高速読取モードにおいて第１光源３１Ａと第２光源３１Ｂを用いることを明示しているが、通常読取モードにおいて第１光源３１Ａと第２光源３１Ｂを用いてもよい。例えば、各モードにおいて光源３１Ａ、３１Ｂの発光強度を別々に設定できる場合には、各発光強度において、２つの光源３１Ａ、３１Ｂを用いて合計点灯期間ＴＷＧを一定にしてもよい。
【符号の説明】
【００６６】
１：複合機、１３：第１デバイス制御部、１４：第２デバイス制御部、１６：基準クロック生成部、２０：ＣＰＵ、２３、２４：カウンタ部、２５：位相回路、３０：読取部、３１Ａ：第１光源、３１Ｂ：第２光源、３６、８６：導光体、３７、８７：反射板、３８：受光素子、３９：照射部、Ｓ：照射強度、ＳＧ：合計照射強度、ＴＷ：点灯期間、ＴＷＧ：合計点灯期間
【図１】
2014049938.tif 000003
【図２】
2014049938.tif 000004
【図３】
2014049938.tif 000005
【図４】
2014049938.tif 000006
【図５】
2014049938.tif 000007
【図６】
2014049938.tif 000008
【図７】
2014049938.tif 000009
【図８】
2014049938.tif 000010